(57)【特許請求の範囲】
【請求項１】
ＧＯＡ駆動回路であって、前記ＧＯＡ駆動回路はマルチステージの駆動ユニットを含み、前記駆動ユニットの各々は、入力モジュール、出力モジュール、プルダウンモジュール、及びプルダウン保持モジュールを含み、
前記入力モジュールは、タッチ制御信号、ローレベル信号、ハイレベル信号、及び前ステージの出力信号を受信し、受信した信号に応じて第１制御信号を出力するために使用され、第１ステージの駆動ユニットの入力モジュールは、タッチ制御信号、ローレベル信号、ハイレベル信号、及び予め設定された初期信号を受信し、
前記出力モジュールは、前記第１制御信号及び第１クロック信号を受信し、前記第１制御信号及び前記第１クロック信号に応じて第１出力制御信号を出力するために使用され、
前記プルダウンモジュールは、前記第１制御信号、第２クロック信号及びローレベル信号を受信し、前記第１制御信号、第２クロック信号及びローレベル信号に応じてプルダウン信号を出力するために使用され、前記第２クロック信号及び前記第１クロック信号は互いに逆方向であり、
前記プルダウン保持モジュールは、前記プルダウン信号、ハイレベル信号及び第１クロック信号を受信し、前記プルダウン信号、ハイレベル信号及び第１クロック信号に応じて第２出力制御信号を出力するために使用され、前記第１出力制御信号と前記第２出力制御信号は協働して出力信号を取得し、
前記入力モジュールは、第１スイッチトランジスタ、第２スイッチトランジスタ及び第１コンデンサを含み、
前記第１スイッチトランジスタの制御端は前記前ステージの出力信号を受信し、前記第１スイッチトランジスタの入力端は前記ローレベル信号を受信し、前記第１スイッチトランジスタの出力端は前記第２スイッチトランジスタの入力端に接続され、前記第１ステージの駆動ユニットの第１スイッチトランジスタの制御端は、前記予め設定された初期信号を受信し、
前記第２スイッチトランジスタの制御端は前記タッチ制御信号を受信し、前記第２スイッチトランジスタの入力端は前記第１スイッチトランジスタの出力端に接続され、前記第２スイッチトランジスタの出力端は前記第１制御信号を出力し、
前記第１コンデンサの一端は前記ハイレベル信号を受信し、他端は前記第２スイッチトランジスタの入力端に接続される、ことを特徴とする回路。
【請求項２】
前記出力モジュールは、第３スイッチトランジスタ及び第２コンデンサを含み、
前記第３スイッチトランジスタの制御端は、前記第１制御信号を受信するために前記第２スイッチトランジスタの出力端に接続され、前記第３スイッチトランジスタの入力端は前記第１クロック信号を受信し、前記第３スイッチトランジスタの出力端は前記第１出力制御信号を出力し、
前記第２コンデンサの両端は、前記第３スイッチトランジスタの制御端と出力端にそれぞれ接続される、ことを特徴とする請求項１に記載の回路。
【請求項３】
前記プルダウン信号は、第１プルダウン信号及び第２プルダウン信号を含み、前記プルダウンモジュールは、第４スイッチトランジスタ及び第５スイッチトランジスタを含み、
前記第４スイッチトランジスタの制御端は、前記第１制御信号を受信するために前記第２スイッチトランジスタの出力端に接続され、前記第４スイッチトランジスタの入力端は前記第２クロック信号を受信し、前記第４スイッチトランジスタの出力端は前記第１プルダウン信号を出力し、
前記第５スイッチトランジスタの制御端は前記第２クロック信号を受信し、前記第５スイッチトランジスタの入力端は前記ローレベル信号を受信し、前記第５スイッチトランジスタの出力端は前記第２プルダウン信号を出力する、ことを特徴とする請求項２に記載の回路。
【請求項４】
前記プルダウン保持モジュールは、第６スイッチトランジスタ、第７スイッチトランジスタ、第８スイッチトランジスタ及び第３コンデンサを含み、
前記第６スイッチトランジスタの制御端は前記第１クロック信号を受信し、前記第６スイッチトランジスタの入力端は前記第７スイッチトランジスタの出力端に接続され、前記第６スイッチトランジスタの出力端は前記第３スイッチトランジスタの制御端に接続され、
前記第７スイッチトランジスタの制御端は、前記プルダウン信号を受信するために、前記第４スイッチトランジスタ及び前記第５スイッチトランジスタの出力端にそれぞれ接続され、前記第７スイッチトランジスタの入力端は前記ハイレベル信号を受信し、第７スイッチトランジスタの出力端は前記第６スイッチトランジスタの入力端に接続され、
前記第８スイッチトランジスタの制御端は、前記プルダウン信号を受信するために、前記第４スイッチトランジスタ及び前記第５スイッチトランジスタの出力端にそれぞれ接続され、前記第８スイッチトランジスタの入力端は前記ハイレベル信号を受信し、前記第８スイッチトランジスタの出力端は前記第２出力制御信号を出力し、
前記第３コンデンサの一端は、前記第７スイッチトランジスタ及び第８スイッチトランジスタの制御端に接続され、他端は、前記ハイレベル信号を受信する、ことを特徴とする請求項３に記載の回路。
【請求項５】
前記回路は第９スイッチトランジスタをさらに含み、前記第９スイッチトランジスタの制御端は前記ローレベル信号を受信し、前記第９スイッチトランジスタの入力端は前記第２スイッチトランジスタの出力端に接続され、前記第９スイッチトランジスタの出力端は前記第３スイッチトランジスタの制御端に接続される、ことを特徴とする請求項２に記載の回路。
【請求項６】
前記第９スイッチトランジスタはＰ型スイッチトランジスタであり、前記制御端はＰ型スイッチトランジスタのゲートであり、入力端はＰ型スイッチトランジスタのソースであり、出力端はＰ型スイッチトランジスタのドレインである、ことを特徴とする請求項５に記載の回路。
【請求項７】
前記第１スイッチトランジスタ〜前記第８スイッチトランジスタはいずれもＰ型スイッチトランジスタであり、前記制御端はＰ型スイッチトランジスタのゲートであり、入力端はＰ型スイッチトランジスタのソースであり、出力端はＰ型スイッチトランジスタのドレインである、ことを特徴とする請求項４に記載の回路。
【請求項８】
ＴＦＴ基板であって、前記ＴＦＴ基板はＧＯＡ駆動回路を含み、前記ＧＯＡ駆動回路はマルチステージの駆動ユニットを含み、前記駆動ユニットの各々は、入力モジュール、出力モジュール、プルダウンモジュール、及びプルダウン保持モジュールを含み、
前記入力モジュールは、タッチ制御信号、ローレベル信号、ハイレベル信号、及び前ステージの出力信号を受信し、受信した信号に応じて第１制御信号を出力するために使用され、第１ステージの駆動ユニットの入力モジュールは、タッチ制御信号、ローレベル信号、ハイレベル信号、及び予め設定された初期信号を受信し、
前記出力モジュールは、前記第１制御信号及び第１クロック信号を受信し、前記第１制御信号及び前記第１クロック信号に応じて第１出力制御信号を出力するために使用され、
前記プルダウンモジュールは、前記第１制御信号、第２クロック信号及びローレベル信号を受信し、前記第１制御信号、第２クロック信号及びローレベル信号に応じてプルダウン信号を出力するために使用され、前記第２クロック信号及び前記第１クロック信号は互いに逆方向であり、
前記プルダウン保持モジュールは、前記プルダウン信号、ハイレベル信号及び第１クロック信号を受信し、前記プルダウン信号、ハイレベル信号及び第１クロック信号に応じて第２出力制御信号を出力するために使用され、前記第１出力制御信号と前記第２出力制御信号は協働して出力信号を取得し、
前記入力モジュールは、第１スイッチトランジスタ、第２スイッチトランジスタ及び第１コンデンサを含み、
前記第１スイッチトランジスタの制御端は前記前ステージの出力信号を受信し、前記第１スイッチトランジスタの入力端は前記ローレベル信号を受信し、前記第１スイッチトランジスタの出力端は前記第２スイッチトランジスタの入力端に接続され、前記第１ステージの駆動ユニットの第１スイッチトランジスタの制御端は、前記予め設定された初期信号を受信し、
前記第２スイッチトランジスタの制御端は前記タッチ制御信号を受信し、前記第２スイッチトランジスタの入力端は前記第１スイッチトランジスタの出力端に接続され、前記第２スイッチトランジスタの出力端は前記第１制御信号を出力し、
前記第１コンデンサの一端は前記ハイレベル信号を受信し、他端は前記第２スイッチトランジスタの入力端に接続される、ことを特徴とするＴＦＴ基板。
【請求項９】
前記出力モジュールは、第３スイッチトランジスタ及び第２コンデンサを含み、
前記第３スイッチトランジスタの制御端は、前記第１制御信号を受信するために前記第２スイッチトランジスタの出力端に接続され、前記第３スイッチトランジスタの入力端は前記第１クロック信号を受信し、前記第３スイッチトランジスタの出力端は前記第１出力制御信号を出力し、
前記第２コンデンサの両端は、前記第３スイッチトランジスタの制御端と出力端にそれぞれ接続される、ことを特徴とする請求項８に記載のＴＦＴ基板。
【請求項１０】
前記プルダウン信号は、第１プルダウン信号及び第２プルダウン信号を含み、前記プルダウンモジュールは、第４スイッチトランジスタ及び第５スイッチトランジスタを含み、
前記第４スイッチトランジスタの制御端は、前記第１制御信号を受信するために前記第２スイッチトランジスタの出力端に接続され、前記第４スイッチトランジスタの入力端は前記第２クロック信号を受信し、前記第４スイッチトランジスタの出力端は前記第１プルダウン信号を出力し、
前記第５スイッチトランジスタの制御端は前記第２クロック信号を受信し、前記第５スイッチトランジスタの入力端は前記ローレベル信号を受信し、前記第５スイッチトランジスタの出力端は前記第２プルダウン信号を出力する、ことを特徴とする請求項９に記載のＴＦＴ基板。
【請求項１１】
前記プルダウン保持モジュールは、第６スイッチトランジスタ、第７スイッチトランジスタ、第８スイッチトランジスタ及び第３コンデンサを含み、
前記第６スイッチトランジスタの制御端は前記第１クロック信号を受信し、前記第６スイッチトランジスタの入力端は前記第７スイッチトランジスタの出力端に接続され、前記第６スイッチトランジスタの出力端は前記第３スイッチトランジスタの制御端に接続され、
前記第７スイッチトランジスタの制御端は、前記プルダウン信号を受信するために、前記第４スイッチトランジスタ及び前記第５スイッチトランジスタの出力端にそれぞれ接続され、前記第７スイッチトランジスタの入力端は前記ハイレベル信号を受信し、第７スイッチトランジスタの出力端は前記第６スイッチトランジスタの入力端に接続され、
前記第８スイッチトランジスタの制御端は、前記プルダウン信号を受信するために、前記第４スイッチトランジスタ及び前記第５スイッチトランジスタの出力端にそれぞれ接続され、前記第８スイッチトランジスタの入力端は前記ハイレベル信号を受信し、前記第８スイッチトランジスタの出力端は前記第２出力制御信号を出力し、
前記第３コンデンサの一端は、前記第７スイッチトランジスタ及び第８スイッチトランジスタの制御端に接続され、他端は、前記ハイレベル信号を受信する、ことを特徴とする請求項１０に記載のＴＦＴ基板。
【請求項１２】
前記ＧＯＡ駆動回路は第９スイッチトランジスタをさらに含み、前記第９スイッチトランジスタの制御端は前記ローレベル信号を受信し、前記第９スイッチトランジスタの入力端は前記第２スイッチトランジスタの出力端に接続され、前記第９スイッチトランジスタの出力端は前記第３スイッチトランジスタの制御端に接続される、ことを特徴とする請求項９に記載のＴＦＴ基板。
【請求項１３】
表示装置であって、前記表示装置はＴＦＴ基板を含み、前記ＴＦＴ基板はＧＯＡ駆動回路を含み、前記ＧＯＡ駆動回路はマルチステージの駆動ユニットを含み、前記駆動ユニットの各々は、入力モジュール、出力モジュール、プルダウンモジュール、及びプルダウン保持モジュールを含み、
前記入力モジュールは、タッチ制御信号、ローレベル信号、ハイレベル信号、及び前ステージの出力信号を受信し、受信した信号に応じて第１制御信号を出力するために使用され、第１ステージの駆動ユニットの入力モジュールは、タッチ制御信号、ローレベル信号、ハイレベル信号、及び予め設定された初期信号を受信し、
前記出力モジュールは、前記第１制御信号及び第１クロック信号を受信し、前記第１制御信号及び前記第１クロック信号に応じて第１出力制御信号を出力するために使用され、
前記プルダウンモジュールは、前記第１制御信号、第２クロック信号及びローレベル信号を受信し、前記第１制御信号、第２クロック信号及びローレベル信号に応じてプルダウン信号を出力するために使用され、前記第２クロック信号及び前記第１クロック信号は互いに逆方向であり、
前記プルダウン保持モジュールは、前記プルダウン信号、ハイレベル信号及び第１クロック信号を受信し、前記プルダウン信号、ハイレベル信号及び第１クロック信号に応じて第２出力制御信号を出力するために使用され、前記第１出力制御信号と前記第２出力制御信号は協働して出力信号を取得し、
前記入力モジュールは、第１スイッチトランジスタ、第２スイッチトランジスタ及び第１コンデンサを含み、
前記第１スイッチトランジスタの制御端は前記前ステージの出力信号を受信し、前記第１スイッチトランジスタの入力端は前記ローレベル信号を受信し、前記第１スイッチトランジスタの出力端は前記第２スイッチトランジスタの入力端に接続され、前記第１ステージの駆動ユニットの第１スイッチトランジスタの制御端は、前記予め設定された初期信号を受信し、
前記第２スイッチトランジスタの制御端は前記タッチ制御信号を受信し、前記第２スイッチトランジスタの入力端は前記第１スイッチトランジスタの出力端に接続され、前記第２スイッチトランジスタの出力端は前記第１制御信号を出力し、
前記第１コンデンサの一端は前記ハイレベル信号を受信し、他端は前記第２スイッチトランジスタの入力端に接続される、ことを特徴とする表示装置。
【請求項１４】
前記出力モジュールは、第３スイッチトランジスタ及び第２コンデンサを含み、
前記第３スイッチトランジスタの制御端は、前記第１制御信号を受信するために前記第２スイッチトランジスタの出力端に接続され、前記第３スイッチトランジスタの入力端は前記第１クロック信号を受信し、前記第３スイッチトランジスタの出力端は前記第１出力制御信号を出力し、
前記第２コンデンサの両端は、前記第３スイッチトランジスタの制御端と出力端にそれぞれ接続される、ことを特徴とする請求項１３に記載の表示装置。
【請求項１５】
前記プルダウン信号は、第１プルダウン信号及び第２プルダウン信号を含み、前記プルダウンモジュールは、第４スイッチトランジスタ及び第５スイッチトランジスタを含み、
前記第４スイッチトランジスタの制御端は、前記第１制御信号を受信するために前記第２スイッチトランジスタの出力端に接続され、前記第４スイッチトランジスタの入力端は前記第２クロック信号を受信し、前記第４スイッチトランジスタの出力端は前記第１プルダウン信号を出力し、
前記第５スイッチトランジスタの制御端は前記第２クロック信号を受信し、前記第５スイッチトランジスタの入力端は前記ローレベル信号を受信し、前記第５スイッチトランジスタの出力端は前記第２プルダウン信号を出力する、ことを特徴とする請求項１４に記載の表示装置。
【請求項１６】
前記プルダウン保持モジュールは、第６スイッチトランジスタ、第７スイッチトランジスタ、第８スイッチトランジスタ及び第３コンデンサを含み、
前記第６スイッチトランジスタの制御端は前記第１クロック信号を受信し、前記第６スイッチトランジスタの入力端は前記第７スイッチトランジスタの出力端に接続され、前記第６スイッチトランジスタの出力端は前記第３スイッチトランジスタの制御端に接続され、
前記第７スイッチトランジスタの制御端は、前記プルダウン信号を受信するために、前記第４スイッチトランジスタ及び前記第５スイッチトランジスタの出力端にそれぞれ接続され、前記第７スイッチトランジスタの入力端は前記ハイレベル信号を受信し、第７スイッチトランジスタの出力端は前記第６スイッチトランジスタの入力端に接続され、
前記第８スイッチトランジスタの制御端は、前記プルダウン信号を受信するために、前記第４スイッチトランジスタ及び前記第５スイッチトランジスタの出力端にそれぞれ接続され、前記第８スイッチトランジスタの入力端は前記ハイレベル信号を受信し、前記第８スイッチトランジスタの出力端は前記第２出力制御信号を出力し、
前記第３コンデンサの一端は、前記第７スイッチトランジスタ及び第８スイッチトランジスタの制御端に接続され、他端は、前記ハイレベル信号を受信する、ことを特徴とする請求項１５に記載の表示装置。
【請求項１７】
前記ＧＯＡ駆動回路は第９スイッチトランジスタをさらに含み、前記第９スイッチトランジスタの制御端は前記ローレベル信号を受信し、前記第９スイッチトランジスタの入力端は前記第２スイッチトランジスタの出力端に接続され、前記第９スイッチトランジスタの出力端は前記第３スイッチトランジスタの制御端に接続される、ことを特徴とする請求項１４に記載の表示装置。
【発明の詳細な説明】
【技術分野】
【０００１】
本発明は表示技術の分野に関し、特に表示装置、ＴＦＴ基板及びＧＯＡ駆動回路に関する。
【背景技術】
【０００２】
埋込式タッチ制御パネルは、より薄い機器本体やより良いユーザー体験を実現することができ、ますます多くのユーザーにより追求されている。埋込式パネルのタッチ制御駆動周波数は、タッチ制御の感度と精確度に関わり、例えば、高世代の１２０Ｈｚのタッチ制御駆動周波数が、パネルメーカーによって重視されている。しかしながら、この駆動方式は、１つのフレーム内で複数回走査する必要があり、ＴＰ（ｔｏｕｃｈ  ｐａｎｅｌ、タッチ制御パネル）が駆動されると、ＧＯＡ（Ｇａｔｅ  Ｏｎ  Ａｒｒａｙ、アレイ基板上に配置されるゲート駆動）駆動を中断する必要があり、ＧＯＡ駆動回路設計の難度が高くなる。
【発明の概要】
【発明が解決しようとする課題】
【０００３】
本発明が主に解決する技術的課題は、ＧＯＡ回路の一時停止及びカスケード伝送を実現し、高周波数ＴＰ駆動を実現し、且つＩＣコストを最大限に節約することができる表示装置、ＴＦＴ基板及びＧＯＡ回路を提供することである。
【課題を解決するための手段】
【０００４】
上記技術的課題を解決するために、本発明の１つの技術的方案は、ＧＯＡ駆動回路を提供する。このＧＯＡ駆動回路はマルチステージの駆動ユニットを含み、駆動ユニットの各々は、入力モジュール、出力モジュール、プルダウンモジュール、及びプルダウン保持モジュールを含む。入力モジュールは、タッチ制御信号、ローレベル信号、ハイレベル信号及び前ステージの出力信号を受信し、受信した信号に応じて第１制御信号を出力するために使用される。第１ステージの駆動ユニットの入力モジュールは、タッチ制御信号、ローレベル信号、ハイレベル信号及び予め設定された初期信号を受信する。出力モジュールは、第１制御信号及び第１クロック信号を受信し、第１制御信号及び第１クロック信号に応じて第１出力制御信号を出力するために使用される。プルダウンモジュールは、第１制御信号、第２クロック信号及びローレベル信号を受信し、第１制御信号、第２クロック信号及びローレベル信号に応じてプルダウン信号を出力するために使用される。第２クロック信号と第１クロック信号は互いに逆方向である。プルダウン保持モジュールは、プルダウン信号、ハイレベル信号及び第１クロック信号を受信し、プルダウン信号、ハイレベル信号及び第１クロック信号に応じて第２出力制御信号を出力するために使用される。第１出力制御信号と第２出力制御信号は協働して出力信号を取得する。
【０００５】
入力モジュールは第１スイッチトランジスタ、第２スイッチトランジスタ及び第１コンデンサを含む。第１スイッチトランジスタの制御端は前ステージの出力信号を受信し、第１スイッチトランジスタの入力端はローレベル信号を受信し、第１スイッチトランジスタの出力端は第２スイッチトランジスタの入力端に接続される。第１ステージの駆動ユニットの第１スイッチトランジスタの制御端は、予め設定された初期信号を受信する。第２スイッチトランジスタの制御端はタッチ制御信号を受信し、第２スイッチトランジスタの入力端は第１スイッチトランジスタの出力端に接続され、第２スイッチトランジスタの出力端は第１制御信号を出力する。第１コンデンサの一端はハイレベル信号を受信し、他端は第２スイッチトランジスタの入力端に接続される。
【０００６】
出力モジュールは、第３スイッチトランジスタ及び第２コンデンサを含む。第３スイッチトランジスタの制御端は、第１制御信号を受信するために第２スイッチトランジスタの出力端に接続され、第３スイッチトランジスタの入力端は第１クロック信号を受信し、第３スイッチトランジスタの出力端は第１出力制御信号を出力する。第２コンデンサの両端は、第３スイッチトランジスタの制御端及び出力端にそれぞれ接続される。
【０００７】
プルダウン信号は、第１プルダウン信号及び第２プルダウン信号を含み、プルダウンモジュールは、第４スイッチトランジスタ及び第５スイッチトランジスタを含む。第４スイッチトランジスタの制御端は、第１制御信号を受信するために第２スイッチトランジスタの出力端に接続され、第４スイッチトランジスタの入力端は第２クロック信号を受信し、第４スイッチトランジスタの出力端は第１プルダウン信号を出力する。第５スイッチトランジスタの制御端は第２クロック信号を受信し、第５スイッチトランジスタの入力端はローレベル信号を受信し、第５スイッチトランジスタの出力端は第２プルダウン信号を出力する。
【０００８】
プルダウン保持モジュールは、第６スイッチトランジスタ、第７スイッチトランジスタ、第８スイッチトランジスタ及び第３コンデンサを含む。第６スイッチトランジスタの制御端は第１クロック信号を受信し、第６スイッチトランジスタの入力端は第７スイッチトランジスタの出力端に接続され、第６スイッチトランジスタの出力端は第３スイッチトランジスタの制御端に接続される。第７スイッチトランジスタの制御端は、プルダウン信号を受信するために、第４スイッチトランジスタ及び第５スイッチトランジスタの出力端にそれぞれ接続され、第７スイッチトランジスタの入力端はハイレベル信号を受信し、第７スイッチトランジスタの出力端は第６スイッチトランジスタの入力端に接続される。第８スイッチトランジスタの制御端は、プルダウン信号を受信するために、第４スイッチトランジスタ及び第５スイッチトランジスタの出力端にそれぞれ接続され、第８スイッチトランジスタの入力端はハイレベル信号を受信し、第８スイッチトランジスタの出力端は第２出力制御信号を出力する。第３コンデンサの一端は第７スイッチトランジスタ及び第８スイッチトランジスタの制御端に接続され、他端はハイレベル信号を受信する。
【０００９】
回路は第９スイッチトランジスタをさらに含む。第９スイッチトランジスタの制御端はローレベル信号を受信し、第９スイッチトランジスタの入力端は第２スイッチトランジスタの出力端に接続され、第９スイッチトランジスタの出力端は第３スイッチトランジスタの制御端に接続される。
【００１０】
第９スイッチトランジスタはＰ型スイッチトランジスタであり、制御端はＰ型スイッチトランジスタのゲートであり、入力端はＰ型スイッチトランジスタのソースであり、出力端はＰ型スイッチトランジスタのドレインである。
【００１１】
第１スイッチトランジスタ〜第８スイッチトランジスタはいずれもＰ型スイッチトランジスタであり、制御端はＰ型スイッチトランジスタのゲートであり、入力端はＰ型スイッチトランジスタのソースであり、出力端はＰ型スイッチトランジスタのドレインである。
【００１２】
上述した技術的課題を解決するために、本発明の他の技術的方案は、ＧＯＡ駆動回路を含むＴＦＴ基板を提供する。このＧＯＡ駆動回路はマルチステージの駆動ユニットを含み、駆動ユニットの各々は、入力モジュール、出力モジュール、プルダウンモジュール、及びプルダウン保持モジュールを含む。入力モジュールは、タッチ制御信号、ローレベル信号、ハイレベル信号及び前ステージの出力信号を受信し、受信した信号に応じて第１制御信号を出力するために使用される。第１ステージの駆動ユニットの入力モジュールは、タッチ制御信号、ローレベル信号、ハイレベル信号及び予め設定された初期信号を受信する。出力モジュールは、第１制御信号及び第１クロック信号を受信し、第１制御信号及び第１クロック信号に応じて第１出力制御信号を出力するために使用される。プルダウンモジュールは、第１制御信号、第２クロック信号及びローレベル信号を受信し、第１制御信号、第２クロック信号及びローレベル信号に応じてプルダウン信号を出力するために使用される。第２クロック信号と第１クロック信号は互いに逆方向である。プルダウン保持モジュールは、プルダウン信号、ハイレベル信号及び第１クロック信号を受信し、プルダウン信号、ハイレベル信号及び第１クロック信号に応じて第２出力制御信号を出力するために使用される。第１出力制御信号と第２出力制御信号は協働して出力信号を取得する。
【００１３】
入力モジュールは第１スイッチトランジスタ、第２スイッチトランジスタ及び第１コンデンサを含む。第１スイッチトランジスタの制御端は前ステージの出力信号を受信し、第１スイッチトランジスタの入力端はローレベル信号を受信し、第１スイッチトランジスタの出力端は第２スイッチトランジスタの入力端に接続される。第１ステージの駆動ユニットの第１スイッチトランジスタの制御端は、予め設定された初期信号を受信する。第２スイッチトランジスタの制御端はタッチ制御信号を受信し、第２スイッチトランジスタの入力端は第１スイッチトランジスタの出力端に接続され、第２スイッチトランジスタの出力端は第１制御信号を出力する。第１コンデンサの一端はハイレベル信号を受信し、他端は第２スイッチトランジスタの入力端に接続される。
【００１４】
出力モジュールは、第３スイッチトランジスタ及び第２コンデンサを含む。第３スイッチトランジスタの制御端は、第１制御信号を受信するために第２スイッチトランジスタの出力端に接続され、第３スイッチトランジスタの入力端は第１クロック信号を受信し、第３スイッチトランジスタの出力端は第１出力制御信号を出力する。第２コンデンサの両端は、第３スイッチトランジスタの制御端及び出力端にそれぞれ接続される。
【００１５】
プルダウン信号は、第１プルダウン信号及び第２プルダウン信号を含み、プルダウンモジュールは、第４スイッチトランジスタ及び第５スイッチトランジスタを含む。第４スイッチトランジスタの制御端は、第１制御信号を受信するために第２スイッチトランジスタの出力端に接続され、第４スイッチトランジスタの入力端は第２クロック信号を受信し、第４スイッチトランジスタの出力端は第１プルダウン信号を出力する。第５スイッチトランジスタの制御端は第２クロック信号を受信し、第５スイッチトランジスタの入力端はローレベル信号を受信し、第５スイッチトランジスタの出力端は第２プルダウン信号を出力する。
【００１６】
プルダウン保持モジュールは、第６スイッチトランジスタ、第７スイッチトランジスタ、第８スイッチトランジスタ及び第３コンデンサを含む。第６スイッチトランジスタの制御端は第１クロック信号を受信し、第６スイッチトランジスタの入力端は第７スイッチトランジスタの出力端に接続され、第６スイッチトランジスタの出力端は第３スイッチトランジスタの制御端に接続される。第７スイッチトランジスタの制御端は、プルダウン信号を受信するために、第４スイッチトランジスタ及び第５スイッチトランジスタの出力端にそれぞれ接続され、第７スイッチトランジスタの入力端はハイレベル信号を受信し、第７スイッチトランジスタの出力端は第６スイッチトランジスタの入力端に接続される。第８スイッチトランジスタの制御端は、プルダウン信号を受信するために、第４スイッチトランジスタ及び第５スイッチトランジスタの出力端にそれぞれ接続され、第８スイッチトランジスタの入力端はハイレベル信号を受信し、第８スイッチトランジスタの出力端は第２出力制御信号を出力する。第３コンデンサの一端は第７スイッチトランジスタ及び第８スイッチトランジスタの制御端に接続され、他端はハイレベル信号を受信する。
【００１７】
回路は第９スイッチトランジスタをさらに含む。第９スイッチトランジスタの制御端はローレベル信号を受信し、第９スイッチトランジスタの入力端は第２スイッチトランジスタの出力端に接続され、第９スイッチトランジスタの出力端は第３スイッチトランジスタの制御端に接続される。
【００１８】
上述した技術的課題を解決するために、本発明の別の技術的方案は、表示装置を提供する。この表示装置はＴＦＴ基板を含み、このＴＦＴ基板はＧＯＡ駆動回路を含む。このＧＯＡ駆動回路はマルチステージの駆動ユニットを含み、駆動ユニットの各々は、入力モジュール、出力モジュール、プルダウンモジュール、及びプルダウン保持モジュールを含む。入力モジュールは、タッチ制御信号、ローレベル信号、ハイレベル信号及び前ステージの出力信号を受信し、受信した信号に応じて第１制御信号を出力するために使用される。第１ステージの駆動ユニットの入力モジュールは、タッチ制御信号、ローレベル信号、ハイレベル信号及び予め設定された初期信号を受信する。出力モジュールは、第１制御信号及び第１クロック信号を受信し、第１制御信号及び第１クロック信号に応じて第１出力制御信号を出力するために使用される。プルダウンモジュールは、第１制御信号、第２クロック信号及びローレベル信号を受信し、第１制御信号、第２クロック信号及びローレベル信号に応じてプルダウン信号を出力するために使用される。第２クロック信号と第１クロック信号は互いに逆方向である。プルダウン保持モジュールは、プルダウン信号、ハイレベル信号及び第１クロック信号を受信し、プルダウン信号、ハイレベル信号及び第１クロック信号に応じて第２出力制御信号を出力するために使用される。第１出力制御信号と第２出力制御信号は協働して出力信号を取得する。
【００１９】
入力モジュールは第１スイッチトランジスタ、第２スイッチトランジスタ及び第１コンデンサを含む。第１スイッチトランジスタの制御端は前ステージの出力信号を受信し、第１スイッチトランジスタの入力端はローレベル信号を受信し、第１スイッチトランジスタの出力端は第２スイッチトランジスタの入力端に接続される。第１ステージの駆動ユニットの第１スイッチトランジスタの制御端は、予め設定された初期信号を受信する。第２スイッチトランジスタの制御端はタッチ制御信号を受信し、第２スイッチトランジスタの入力端は第１スイッチトランジスタの出力端に接続され、第２スイッチトランジスタの出力端は第１制御信号を出力する。第１コンデンサの一端はハイレベル信号を受信し、他端は第２スイッチトランジスタの入力端に接続される。
【００２０】
出力モジュールは、第３スイッチトランジスタ及び第２コンデンサを含む。第３スイッチトランジスタの制御端は、第１制御信号を受信するために第２スイッチトランジスタの出力端に接続され、第３スイッチトランジスタの入力端は第１クロック信号を受信し、第３スイッチトランジスタの出力端は第１出力制御信号を出力する。第２コンデンサの両端は、第３スイッチトランジスタの制御端及び出力端にそれぞれ接続される。
【００２１】
プルダウン信号は、第１プルダウン信号及び第２プルダウン信号を含み、プルダウンモジュールは、第４スイッチトランジスタ及び第５スイッチトランジスタを含む。第４スイッチトランジスタの制御端は、第１制御信号を受信するために第２スイッチトランジスタの出力端に接続され、第４スイッチトランジスタの入力端は第２クロック信号を受信し、第４スイッチトランジスタの出力端は第１プルダウン信号を出力する。第５スイッチトランジスタの制御端は第２クロック信号を受信し、第５スイッチトランジスタの入力端はローレベル信号を受信し、第５スイッチトランジスタの出力端は第２プルダウン信号を出力する。
【００２２】
プルダウン保持モジュールは、第６スイッチトランジスタ、第７スイッチトランジスタ、第８スイッチトランジスタ及び第３コンデンサを含む。第６スイッチトランジスタの制御端は第１クロック信号を受信し、第６スイッチトランジスタの入力端は第７スイッチトランジスタの出力端に接続され、第６スイッチトランジスタの出力端は第３スイッチトランジスタの制御端に接続される。第７スイッチトランジスタの制御端は、プルダウン信号を受信するために、第４スイッチトランジスタ及び第５スイッチトランジスタの出力端にそれぞれ接続され、第７スイッチトランジスタの入力端はハイレベル信号を受信し、第７スイッチトランジスタの出力端は第６スイッチトランジスタの入力端に接続される。第８スイッチトランジスタの制御端は、プルダウン信号を受信するために、第４スイッチトランジスタ及び第５スイッチトランジスタの出力端にそれぞれ接続され、第８スイッチトランジスタの入力端はハイレベル信号を受信し、第８スイッチトランジスタの出力端は第２出力制御信号を出力する。第３コンデンサの一端は第７スイッチトランジスタ及び第８スイッチトランジスタの制御端に接続され、他端はハイレベル信号を受信する。
【００２３】
回路は第９スイッチトランジスタをさらに含む。第９スイッチトランジスタの制御端はローレベル信号を受信し、第９スイッチトランジスタの入力端は第２スイッチトランジスタの出力端に接続され、第９スイッチトランジスタの出力端は第３スイッチトランジスタの制御端に接続される。
【発明の効果】
【００２４】
本発明の有利な効果は以下のとおりである。従来技術とは異なり、本発明は、ＧＯＡ駆動回路を提供し、このＧＯＡ駆動回路は、マルチステージの駆動ユニットを含み、駆動ユニットの各々は、入力モジュール、出力モジュール、プルダウンモジュール及びプルダウン保持モジュールを含む。入力モジュールは、タッチ制御信号、ローレベル信号、ハイレベル信号、及び前ステージの出力信号を受信し、受信した信号に応じて第１制御信号を出力するために使用される。第１ステージの駆動ユニットの入力モジュールは、タッチ制御信号、ローレベル信号、ハイレベル信号、及び予め設定された初期信号を受信する。出力モジュールは、第１制御信号及び第１クロック信号を受信し、第１制御信号及び第１クロック信号に応じて第１出力制御信号を出力するために使用される。プルダウンモジュールは、第１制御信号、第２クロック信号及びローレベル信号を受信し、第１制御信号、第２クロック信号及びローレベル信号に応じてプルダウン信号を出力するために使用される。第２クロック信号及び第１クロック信号は互いに逆方向である。プルダウン保持モジュールは、プルダウン信号、ハイレベル信号及び第１クロック信号を受信し、プルダウン信号、ハイレベル信号及び第１クロック信号に応じて第２出力制御信号を出力するために使用される。第１出力制御信号と第２出力制御信号は協働して出力信号を取得する。従って、本発明のＧＯＡ駆動回路は、タッチ制御信号に応じて一時停止やカスケード伝送を行うことができ、それにより高周波数ＴＰ駆動を実現する。さらに、本発明は、上記の幾つかの簡単なモジュールによりＧＯＡ駆動回路を実現することにより、ＩＣコストを最大限に節約することができる。
【図面の簡単な説明】
【００２５】
【図１】本発明の実施例によるＧＯＡ駆動回路の構造模式図である。
【図２】本発明の実施例によるＧＯＡ駆動回路の第ｎステージの駆動ユニットの回路模式図である。
【図３】ＧＯＡ駆動回路が動作しているときの各信号のタイミング図である。
【図４】本発明の実施例による別のＧＯＡ駆動回路の構造模式図である。
【図５】本発明の実施例による表示装置の構造模式図である。
【発明を実施するための形態】
【００２６】
図１を参照する。図１は、本発明の実施例によるＧＯＡ駆動回路の構造模式図である。図１に示されるように、本発明の実施例のＧＯＡ駆動回路１０は、マルチステージの駆動ユニット１１を含む。各ステージの駆動ユニット１１はいずれもタッチ制御信号ＴＣ、ローレベル信号ＶＧＬ、ハイレベル信号ＶＧＨ、前ステージの出力信号Ｇｎ−１、第１クロック信号ＣＫ及び第２クロック信号ＸＣＫを受信する。図１に示されるように、第１ステージの駆動ユニット１１は、前ステージの出力信号の代わりに予め設定された初期信号ＳＴＶを受信する。従って、本実施例のＧＯＡ駆動回路１０は、タッチ制御信号ＴＣに応じて一時停止やカスケード伝送を行うことができ、それにより高周波数ＴＰ駆動を実現する。さらに、ＩＣコストを最大限に節約することもできる。
【００２７】
各ステージのＧＯＡ駆動ユニット１１の構造は同じであるので、以下では、そのうちの１つのステージのＧＯＡ駆動ユニットを例として説明する。
【００２８】
図２を参照する。図２は、本発明の実施例によるＧＯＡ駆動回路の第ｎステージの駆動ユニットの回路模式図である。図２に示されるように、駆動ユニット１０は、入力モジュール１１０、出力モジュール１１１、プルダウンモジュール１１２及びプルダウン保持モジュール１１３を含む。
【００２９】
入力モジュール１１０は、タッチ制御信号ＴＣ、ローレベル信号ＶＧＬ、ハイレベル信号ＶＧＨ及び前ステージの出力信号Ｇｎ−１を受信し、受信した信号に応じて第１制御信号Ｋ１を出力するために使用される。第１制御信号Ｋ１は第１ノードＱｎに出力され、第１ノードＱｎは、駆動信号の出力を制御するための点である。第１ステージの駆動ユニット１１の入力モジュール１１０は、タッチ制御信号ＴＣ、ローレベル信号ＶＧＬ、ハイレベル信号ＶＧＨ、及び予め設定された初期信号ＳＴＶを受信する。
【００３０】
出力モジュール１１１は、第１制御信号Ｋ１及び第１クロック信号ＣＫを受信し、第１制御信号Ｋ１及び第１クロック信号ＣＫに応じて第１出力制御信号Ｏ１を出力するために使用される。
【００３１】
プルダウンモジュール１１２は、第１制御信号Ｋ１、第２クロック信号ＸＣＫ及びローレベル信号ＶＧＬを受信し、第１制御信号Ｋ１、第２クロック信号ＸＣＫ及びローレベル信号ＶＧＬに応じてプルダウン信号Ｌ１を出力するために使用される。プルダウン信号Ｌ１は第２ノードＰｎに出力され、第２ノードＰｎは、回路が作動していない期間に回路の安定的な出力を制御するための点である。第２クロック信号ＸＣＫと第１クロック信号ＣＫとは、互いに逆方向である。
【００３２】
プルダウン保持モジュール１１３は、プルダウン信号Ｌ１、ハイレベル信号ＶＧＨ及び第１クロック信号ＣＫを受信し、プルダウン信号Ｌ１、ハイレベル信号ＶＧＨ及び第１クロック信号ＣＫに応じて第２出力制御信号Ｏ２を出力するために使用される。第１出力制御信号Ｏ１と第２出力制御信号Ｏ２は協働して出力信号Ｇｎを取得する。
【００３３】
好ましくは、入力モジュール１１０は、第１スイッチトランジスタＴ１、第２スイッチトランジスタＴ２及び第１コンデンサＣ１を含む。第１スイッチトランジスタＴ１の制御端は前ステージの出力信号Ｇｎ−１を受信し、第１スイッチトランジスタＴ１の入力端はローレベル信号ＶＧＬを受信し、第１スイッチトランジスタＴ１の出力端は第２スイッチトランジスタＴ２の入力端に接続される。第１ステージの駆動ユニットの第１スイッチトランジスタＴ１の制御端は、予め設定された初期信号ＳＴＶを受信する。第２スイッチトランジスタＴ２の制御端はタッチ制御信号ＴＣを受信し、第２スイッチトランジスタＴ２の入力端は第１スイッチトランジスタＴ１の出力端に接続され、第２スイッチトランジスタＴ２の出力端は第１制御信号Ｋ１を出力する。具体的には、第２スイッチトランジスタＴ２の出力端は、第１ノードＱｎに接続されて、第１ノードＱｎに第１制御信号Ｋ１を出力する。第１コンデンサＣ１の一端はハイレベル信号ＶＧＨを受信し、他端は第２スイッチトランジスタＴ２の入力端に接続され、即ち、他端は、第２スイッチトランジスタＴ２の入力端と第１スイッチトランジスタＴ１の出力端との間に接続される。第１コンデンサＣ１は、第２スイッチトランジスタＴ２の入力端上の電圧を安定させるために使用される。
【００３４】
出力モジュール１１１は、第３スイッチトランジスタＴ３及び第２コンデンサＣ２を含む。第３スイッチトランジスタＴ３の制御端は、第１制御信号Ｋ１を受信するために、第２スイッチトランジスタＴ２の出力端に接続される。具体的には、第３スイッチトランジスタＴ３の制御端は、第１ノードＱｎを介して第２スイッチトランジスタＴ２の出力する第１制御信号Ｋ１を受信するために、第１ノードＱｎに接続される。第３スイッチトランジスタＴ３の入力端は第１クロック信号ＣＫを受信し、第３スイッチトランジスタＴ３の出力端は第１出力制御信号Ｏ１を出力する。第２コンデンサＣ２の両端は、第３スイッチトランジスタＴ３の制御端と出力端にそれぞれ接続され、即ち、第２コンデンサＣ２の一端と第３スイッチトランジスタＴ３の制御端はいずれも第１ノードＱｎに接続される。
【００３５】
本実施例において、プルダウン信号Ｌ１は、第１プルダウン信号Ｌ１１及び第２プルダウン信号Ｌ１２を含み、プルダウンモジュール１１２は、第４スイッチトランジスタＴ４及び第５スイッチトランジスタＴ５を含む。第４スイッチトランジスタＴ４の制御端は、第１制御信号Ｋ１を受信するために、第２スイッチトランジスタＴ２の出力端に接続される。具体的には、第４スイッチトランジスタＴ４の制御端及び第２スイッチトランジスタＴ２の出力端はいずれも第１ノードＱｎに接続される。第４スイッチトランジスタＴ４の入力端は第２クロック信号ＸＣＫを受信し、第４スイッチトランジスタＴ４の出力端は、第１プルダウン信号Ｌ１１を出力する。具体的には、第４スイッチトランジスタＴ４の出力端は第２ノードＰｎに接続されて、第２ノードＰｎに第１プルダウン信号Ｌ１１を出力する。第５スイッチトランジスタＴ５の制御端は第２クロック信号ＸＣＫを受信し、第５スイッチトランジスタＴ５の入力端はローレベル信号ＶＧＬを受信し、第５スイッチトランジスタＴ５の出力端は第２プルダウン信号Ｌ１２を出力する。具体的には、第５スイッチトランジスタＴ５の出力端は第２ノードＰｎに接続されて、第２ノードＰｎに第２プルダウン信号Ｌ１２を出力する。
【００３６】
プルダウン保持モジュール１１３は、第６スイッチトランジスタＴ６、第７スイッチトランジスタＴ７、第８スイッチトランジスタＴ８及び第３コンデンサＣ３を含む。第６スイッチトランジスタＴ６の制御端は第１クロック信号ＣＫを受信し、第６スイッチトランジスタＴ６の入力端は第７スイッチトランジスタＴ７の出力端に接続され、第６スイッチトランジスタＴ６の出力端は、第１ノードＱｎに接続されて、第１ノードＱｎを介して第３スイッチトランジスタＴ３の制御端に接続される。第７スイッチトランジスタＴ７の制御端は、プルダウン信号Ｌ１を受信するために、第２ノードＰｎを介して第４スイッチトランジスタＴ４及び第５スイッチトランジスタＴ５の出力端にそれぞれ接続され、第７スイッチトランジスタＴ７の入力端はハイレベル信号ＶＧＨを受信し、第７スイッチトランジスタＴ７の出力端は第６スイッチトランジスタＴ６の入力端に接続される。第８スイッチトランジスタＴ８の制御端は、プルダウン信号Ｌ１を受信するために、第２ノードＰｎを介して第４スイッチトランジスタＴ４及び第５スイッチトランジスタＴ５の出力端にそれぞれ接続され、第８スイッチトランジスタＴ８の入力端はハイレベル信号ＶＧＨを受信し、第８スイッチトランジスタＴ８の出力端は第２出力制御信号Ｏ２を出力する。第３コンデンサＣ３の一端は、第７スイッチトランジスタＴ７及び第８スイッチトランジスタＴ８の制御端に接続され、他端はハイレベル信号ＶＧＨを受信する。
【００３７】
第１スイッチトランジスタＴ１〜第８スイッチトランジスタＴ８はいずれもＰ型スイッチトランジスタであり、それらの制御端はＰ型スイッチトランジスタのゲートであり、入力端はＰ型スイッチトランジスタのソースであり、出力端はＰ型スイッチトランジスタのドレインである。
【００３８】
図３を一緒に参照する。図３は、本発明のＧＯＡ駆動回路が動作しているときの各信号のタイミング図である。図２及び図３に示されるように、本発明のＧＯＡ駆動回路は、表示駆動時間及びＴＰ動作時間を含み、表示駆動時間は、４つの段階を含み、具体的には、以下のとおりである。
第１段階では、第１スイッチトランジスタＴ１及び第２スイッチトランジスタＴ２がオンされ、ローレベル信号ＶＧＬが第１制御信号Ｋ１として第１ノードＱｎを低電位にプルダウンする。第３スイッチトランジスタＴ３及び第４スイッチトランジスタＴ４の制御端は低電位であるため、第３スイッチトランジスタＴ３及び第４スイッチトランジスタＴ４はいずれもオンされる。このとき、第２クロック信号ＸＣＫが低電位であり、第５スイッチトランジスタＴ５がオンされて、第１プルダウン信号Ｌ１１及び第２プルダウン信号Ｌ１２がいずれも低電位となり、それにより出力されたプルダウン信号Ｌ１が低電位であり、第２ノードＰｎを低電位にプルダウンして、第７スイッチトランジスタＴ７及び第８スイッチトランジスタＴ８がいずれもオンされる。また、第２クロック信号ＸＣＫとは逆方向にある第１クロック信号ＣＫは高電位であるので、第６スイッチトランジスタＴ６はオフされる。第３スイッチトランジスタＴ３は高電位の第１出力制御信号Ｏ１を出力し、第８スイッチトランジスタＴ８も高電位の第１出力制御信号Ｏ２を出力して、出力信号Ｇｎを高電位にする。
【００３９】
第２段階において、第１段階で第２コンデンサＣ２は充電されており、且つ第１ノードＱｎに接続された一端が低電位であるため、このときの第１ノードＱｎは依然として低電位であり、即ち、第２コンデンサＣ２は、第１制御信号Ｋ１を低電位に維持して、第３スイッチトランジスタＴ３がオンされる。このとき、第１クロック信号ＣＫは低電位であるため、出力信号Ｇｎは低電位であり、ＴＦＴ（Ｔｈｉｎ  Ｆｉｌｍ  Ｔｒａｎｓｉｓｔｏｒ、薄膜トランジスタ）基板の表示領域（ＡＡ領域）の画素ユニットを駆動することができるとともに、カスケード伝送信号として次のステージの駆動ユニットに伝送することができる。
【００４０】
また、第１制御信号Ｋ１は低電位であるため、第４スイッチトランジスタＴ４はオンされる。このとき、第２クロック信号ＸＣＫが高電位であることにより、第１プルダウン信号Ｌ１１が高電位となり、第５スイッチトランジスタＴ５がオフされるので、プルダウン信号Ｌ１は高電位であり、即ち、第２ノードＰｎは高電位になる。それにより、第７スイッチトランジスタＴ７及び第８スイッチトランジスタＴ８がオフされ、第２出力制御信号Ｏ２がなくなる。第２ノードＱ点は第２コンデンサＣ２を介してより低い電位に結合されて、第１制御信号Ｋ１はより低い電位になり、出力信号Ｇｎが正常に出力されることを保証する。
【００４１】
第３段階において、第２コンデンサＣ２の作用のため、このときの第１ノードＱｎは依然として低電位である。即ち、第２コンデンサＣ２は第１制御信号Ｋ１を低電位に維持し、第３スイッチトランジスタＴ３及び第４スイッチトランジスタＴ４はオンされる。この段階では、第１クロック信号ＣＫが高電位であり、第２クロック信号ＸＣＫが低電位になることにより、第３スイッチトランジスタＴ３から出力された第１出力制御信号Ｏ１は高電位となり、第１プルダウン信号Ｌ１１は低電位となる。第５スイッチトランジスタＴ５がオンされ、第２プルダウン信号Ｌ１２も低電位であるため、プルダウン信号Ｌ１は低電位であり、即ち、第２ノードＰｎは低電位になる。第７スイッチトランジスタＴ７及び第８スイッチトランジスタＴ８がオンされ、出力された第２出力制御信号Ｏ２は高電位であり、出力信号Ｇｎを高電位にするように、同じく高電位である第１出力制御信号Ｏ１と作用する。
【００４２】
第４段階では、第１クロック信号ＣＫが低電位であり、第６スイッチトランジスタＴ６がオンされる。第３コンデンサＣ３の作用により、第７スイッチトランジスタＴ７はこの時点でオンされることが保証されるため、第１ノードＱｎの第１制御信号Ｋ１が瞬時にプルアップされて、第３スイッチトランジスタＴ３及び第４スイッチトランジスタＴ４がオフされる。１つのフレーム後のプロセスにおいて、第１ノードＱｎの第１制御信号Ｋ１と第２ノードＰｎのプルダウン信号Ｌ１はそれぞれ高電位と低電位に維持されている。
【００４３】
ＧＯＡ駆動回路１０がＴＰ動作時間になると、タッチ制御信号ＴＣが高電位になることにより、第２スイッチトランジスタＴ２がオフされ、カスケード伝送信号が第１コンデンサＣ１に一時的に保存される。ＴＰ動作時間が終了すると、タッチ制御信号ＴＣが低電位になり、第２スイッチトランジスタＴ２がオンされ、第１コンデンサＣ１に一時的に保存される低電位が第１制御信号Ｋ１として第１ノードＱｎに対して充電されて、第１ノードＱｎが低くなり、第３スイッチトランジスタＴ３がオンされる。その後、上記プロセスのようにカスケード伝送が継続される。
【００４４】
図４を参照する。図４は、本発明の実施例による別のＧＯＡ駆動回路の構造模式図である。図４に示されるように、本実施例のＧＯＡ駆動回路は、上述したＧＯＡ駆動回路とは以下の点で異なる。本実施例のＧＯＡ駆動回路は第９スイッチトランジスタＴ９をさらに含む。第９スイッチトランジスタＴ９の制御端はローレベル信号ＶＧＬを受信し、第９スイッチトランジスタＴ９の入力端は第２スイッチトランジスタＴ２の出力端に接続され、第９スイッチトランジスタＴ９の出力端は第３スイッチトランジスタＴ３の制御端に接続される。第９スイッチトランジスタＴ９の作用は、第１ノードＱｎの第１制御信号Ｋ１がより低い電位に結合される場合、第９スイッチトランジスタＴ９がオフされ、第１ノードＱｎの第１制御信号Ｋ１の電位への外部影響を低減することである。
【００４５】
図５をさらに参照する。図５は、本発明の表示装置の模式図である。本実施例において、表示装置４０は、ＴＦＴ基板１と、ＴＦＴ基板１の側に位置するＧＯＡ駆動回路２を含む。このＧＯＡ駆動回路２は、前述したＧＯＡ駆動回路１０である。
【００４６】
以上より、本発明のＧＯＡ駆動回路は、タッチ制御信号ＴＣにより一時停止及びカスケード伝送を実現することができ、高周波数ＴＰ駆動に適する。また、本発明のＧＯＡ駆動回路は、９つのスイッチトランジスタと３つのコンデンサのみで構成することができ、ＩＣコストを最大限に節約することができる。
【００４７】
以上の説明は本発明に係る実施形態にすぎず、本発明の保護範囲を制限するものではない。本発明の明細書及び添付図面によって作成したすべての同等構造又は同等フローの変更を、直接又は間接的に他の関連する技術分野に実施することは、いずれも同じ理由により本発明の保護範囲内に含まれるべきである。
【図１】
0006587329.tif 000002
【図２】
0006587329.tif 000003
【図３】
0006587329.tif 000004
【図４】
0006587329.tif 000005
【図５】
0006587329.tif 000006